(57)【要約】      （修正有）【課題】分解後の全体の体積と長さを縮小できる回転式シューズラックを提供する。【解決手段】回転式シューズラックは、外側部１０と、内側部２０と、少なくとも一組の靴置き部３０を備える。外側部は、台座１１、天板１２、及び台座と天板との間に取り外し可能に結合される複数の外柱１３を備える。外柱には、第一外柱管１３１、第二外柱管１３２、外柱内結合体、外柱外嵌合部１３４、及び複数の外柱螺着部品を有する。内側部には、基盤２１、天盤２２、及び基盤と天盤との間に取り外し可能に結合される複数の内柱２３を備える。内側部の基盤と天盤は、外側部の台座と天板との間に軸着され、外の力を受けるとその場で回転する。内柱には、第一内柱管、第二内柱管、及び第一内柱管と第二内柱管を結合させたり分離させる内柱結合体を備える。靴置き部は、基盤と天盤との間において内側部の二つの内柱に取り外し可能に連結する。【選択図】図１
0003226027.tif 000002
【実用新案登録請求の範囲】
【請求項１】
外側部と、内側部と、少なくとも一組の靴置き部を含む回転式シューズラックであって、
前記外側部は、台座、天板、及び台座と天板との間に取り外し可能な形式で結合される複数の外柱を備え、
前記外柱には、第一外柱管、第二外柱管、外柱内結合体、外柱外嵌合部、及び複数の外柱螺着部品を備え、
前記第一外柱管の底端は前記台座に挿入し、前記第二外柱管の上端は前記天板に挿入し、前記外柱内結合体の底端は前記第一外柱管の上端に挿入し、前記外柱内結合体の上端は前記第二外柱管の底端に挿入し、前記外柱外嵌合部の一側面に複数の外柱螺着孔を形成し、前記外柱外嵌合部の底端には前記第一外柱管の上端を插入し、前記外柱外嵌合部の上端には前記第二外柱管の底端を插入し、前記外柱螺着部品を前記外柱外嵌合部の前記外柱螺着孔のそれぞれに螺着すると、前記第一外柱管と前記第二外柱管とがそれぞれ圧せられる状態となり、
前記内側部には、基盤、天盤、及び前記基盤と前記天盤との間に取り外し可能な形式で結合される複数の内柱を備え、
前記内側部は、前記外側部の前記台座と前記天板との間に軸着され、外の力を受けるとその場で回転するもので、前記内柱には、第一内柱管、第二内柱管、及び内柱結合体を備え、前記第一内柱管の底端を前記基盤に挿入結合し、前記第二内柱管の上端を前記天盤に挿入結合し、前記内柱結合体の底端は前記第一内柱管の上端に挿入結合し、前記内柱結合体の上端は前記第二内柱管の底端に挿入結合し、
少なくとも一組の靴置き部は、前記基盤と前記天盤との間において前記内側部の複数の内柱に取り外し可能な形式で連結することを特徴とする回転式シューズラック。
【請求項２】
前記外側部の前記台座には台座本体、前記台座本体の上面に連結され、角に近い箇所に配置する複数の台座挿入部、前記台座本体の上面の中央箇所に固着する台座軸受座、及び前記台座軸受座内の台座軸受を有し、
前記天板は、天板本体、前記天板本体の底面に連結し、角に近い箇所にある複数の天板挿入部、前記天板本体の底面中央箇所に固着された天板軸受座、及び前記天板軸受座内の天板軸受を有し、
前記外柱の前記第一外柱管の底端は、前記台座の前記台座挿入部に挿入結合し、前記第二外柱管の上端は前記天板の天板挿入部に挿入結合し、
前記内側部の基盤は、前記台座の前記台座軸受に連結されて支えられ、前記内側部の天盤は、前記天板の前記天板軸受に連結されて支えられることを特徴とする請求項１に記載の回転式シューズラック。
【請求項３】
前記第一外柱管の外側には軸方向に延伸する第一外柱溝を形成し、
前記第二外柱管の外側には軸方向に延伸する第二外柱溝を形成し、
二つの前記外柱螺着部品は、前記第一外柱管の前記第一外柱溝と前記第二外柱管の前記第二外柱溝を深く圧して螺着されることを特徴とする請求項２に記載の回転式シューズラック。
【請求項４】
前記内側部の前記基盤は、基盤本体、前記基盤本体の上面に連結し、側面端箇所に対称的に設けられた二つの基盤挿入部、及び前記基盤本体の底面の中央箇所に固着された基盤軸着部を有し、
前記基盤軸着部は、前記外側部の台座に軸着し、
前記天盤には、天盤本体、前記天盤本体の底面に連結し、側面端箇所に対称的に設けられた二つの天盤挿入部、及び前記天盤本体の上面の中央箇所に固着された天盤軸着部を有し、
前記天盤軸着部は、前記外側部の前記天板に軸着し、
前記第一内柱管の底端は、前記基盤の前記基盤挿入部に挿入結合し、
前記第二内柱管の上端は、前記天盤の前記天盤挿入部に挿入結合し、
前記内柱結合体は、下部分の下端結合部、上部分の上端結合部、及び前記下端結合部と前記上端結合部との間に一体連結される中段連接部を有し、
前記中段連接部の外径は、前記下端結合部と前記上端結合部の外径を超えるもので、前記下端結合部は、前記第一内柱管の上端に挿入連結し、前記上端結合部は、前記第二内柱管の底端に挿入連結することを特徴とする請求項１に記載の回転式シューズラック。
【請求項５】
前記靴置き部には、第一靴置き部と第二靴置き部とを備え、
前記第一靴置き部は、第一盤体、前記第一盤体の両側面の対称位置に形成する二つの第一貫通管、及び各前記第一貫通管の側面に螺着する第一螺合部品を有し、
前記第二靴置き部は、第二盤体、前記第二盤体の両側辺に対称的に形成される二つの第二貫通管、及び各前記第二貫通管の側面にそれぞれ螺着される第二螺合部品を有し、
前記第一靴置き部の二つの前記第一貫通管及び前記第二靴置き部の二つの前記第二貫通管には、二つの前記内柱を貫通させ、前記第一螺合部品と前記第二螺合部品とを螺着してしっかりと密着させて、前記第一靴置き部と前記第二靴置き部とを前記内柱上に結合させるものであり、さらに前記第一靴置き部と前記第二靴置き部とは、それぞれが逆方向に傾斜しているため、第一靴置き部と第二靴置き部との間には、小開口と、小開口の逆側に位置する大開口とが形成されることを特徴とする請求項１に記載の回転式シューズラック。
【請求項６】
前記第一内柱管の両側面それぞれに形成された軸方向に延伸する第一内柱溝と、
前記第二内柱管の両側面それぞれに形成された軸方向に延伸する第二内柱溝とは、
前記第一螺合部品と前記第二螺合部品とに締め付けられると、押圧されて連結することを特徴とする請求項５に記載の回転式シューズラック。
【請求項７】
前記第一螺合部品は前記第一盤体の外側端部の外に突出しない位置にあり、
前記第二螺合部品は前記第二盤体の外側端部の外に突出しない位置にあることを特徴とする請求項５に記載の回転式シューズラック。
【請求項８】
前記回転式シューズラックはさらに、前記内側部の前記天盤の底面に軸着し、外力によって単一方向に動かすことができ、上下に伸縮することができる支持装置を含むことを特徴とする請求項１に記載の回転式シューズラック。
【請求項９】
前記回転式シューズラックはさらに、前記内側部の前記天盤の底面に設置し、収容空間を有する引掛装置を含むことを特徴とする請求項１に記載の回転式シューズラック。
【考案の詳細な説明】
【技術分野】
【０００１】
本考案は、シューズラックに関し、特に回転式シューズラックに関する。
【背景技術】
【０００２】
従来のシューズラック、特に組立式のシューズラックは主に、外側フレーム（板体もしくは柱体）と外側フレーム内に組み込んだ靴置き部によって構成されている。
【０００３】
シューズラックは販売時、分解状態であり、ダンボールに入れて運搬もしくは収納するが、一般に外側フレームがかなりの長さを有するため、靴置き部を分解した後もその体積が大きく長さもあり、運搬、組立もしくは収納する際に不便で、非常に大きな空間を必要とする。また、主に外側フレーム、内側フレーム、及び靴置き部によって構成される従来の回転式シューズラックは、靴置き部を固定した内側フレームを外側フレーム内に軸着して回転させる形式をとっている。しかし、靴置き部と内側フレーム間の固定部材を靴置き部の端部の外側に突出させており、内側フレームを回転させるときにその固定部材と外側フレームとの接触を避けるために外側フレームと内側フレーム間の隙間を広くする必要がある。したがって、外側フレームの幅を拡大すれば、シューズラック全体の体積も拡大し、置き場所の問題が発生する。
【考案の概要】
【考案が解決しようとする課題】
【０００４】
従来のシューズラックは、分解後の体積が大きく長さもあり、置き場所を取るため、運搬、包装、及び収納等の欠点が残る。
【０００５】
本考案の目的は、前述の欠点を改善すべく、分解後の全体の体積と長さを縮小することができる回転式シューズラックを提供することにある。
【０００６】
本考案のもう一つの目的は、使用時における全体幅を縮小することができる回転式シューズラックを提供することにある。
【課題を解決するための手段】
【０００７】
本考案の回転式シューズラックは、外側部と、内側部と、少なくとも一組の靴置き部を備える。
外側部は、台座、天板、及び台座と天板との間に取り外し可能な形式で結合される複数の外柱を備える。外柱には、第一外柱管、第二外柱管、外柱内結合体、外柱外嵌合部、及び複数の外柱螺着部品を備える。
第一外柱管の底端は台座に挿入し、第二外柱管の上端は天板に挿入し、外柱内結合体の底端は第一外柱管の上端に挿入し、外柱内結合体の上端は第二外柱管の底端に挿入する。外柱外嵌合部の一側面には複数の外柱螺着孔が形成されており、外柱外嵌合部の底端には第一外柱管の上端を插入し、外柱外嵌合部の上端には第二外柱管の底端を插入する。外柱螺着部品を外柱外嵌合部の外柱螺着孔のそれぞれに螺着すると、第一外柱管と第二外柱管とがそれぞれ圧せられて、連結される。
【０００８】
内側部には、基盤、天盤、及び前記基盤と前記天盤との間に取り外し可能な形式で結合される複数の内柱を備える。
内側部は、外側部の台座と天板との間に軸着され、外の力を受けるとその場で回転するもので、内柱には、第一内柱管、第二内柱管、及び内柱結合体を備え、第一内柱管の底端を基盤に挿入結合し、第二内柱管の上端を天盤に挿入結合し、内柱結合体の底端は第一内柱管の上端に挿入結合し、内柱結合体の上端は第二内柱管の底端に挿入結合する。
【０００９】
少なくとも一組の靴置き部は、基盤と天盤との間において内側部の複数の内柱に取り外し可能な形式で連結する。
【考案の効果】
【００１０】
以上により、全体を分解した後の体積、長さが縮小されるため、運搬、包装、収納等に使われるスペースが削減されて、その利便をはかることができ、使用する際の全体幅を縮小するという効果も有する。    
【図面の簡単な説明】
【００１１】
【図１】本考案の実施形態による回転式シューズラックの分解斜視図である。
【図２】図１に示した実施形態による回転式シューズラック組立時の立体斜視図である。
【図３】図１に示した実施形態による回転式シューズラック一部構成要素の分解斜視図である。
【図４】図１に示した実施形態による回転式シューズラック一部構成要素の分解斜視拡大図である。
【図５】図１に示した実施形態による回転式シューズラック一部構成要素の分解斜視図である。
【図６】図１に示した実施形態による回転式シューズラック一部構成要素の分解拡大図である。
【図７】図１に示した実施形態による回転式シューズラックの使用状態を示す図である。
【図８】図２に示した実施形態による回転式シューズラックの側面図である。
【図９】図１に示した実施形態による回転式シューズラックの包装体積を示す図である。
【図１０】従来のシューズラックの包装体積を示す図である。
【考案を実施するための形態】
【００１２】
（実施形態）
図１〜図８に示す通り、本考案の実施形態による回転式シューズラック１００は、外側部１０、内側部２０、複数の靴置き部３０、複数の支持装置４０、及び複数の引掛装置５０を備える。
【００１３】
図１〜図４に示すとおり、外側部１０は、台座１１、天板１２、及び複数の外柱１３を備える。台座１１は、地面、床、平面上に安定して配置できるもので、台座１１は、台座本体１１１、台座本体１１１の上面に連結し、角に近い箇所に配置する複数の台座挿入部１１２、台座本体１１１の上面の中央箇所に固着する台座軸受座１１３、及び台座軸受座１１３内の台座軸受１１４を有する。
天板１２は、天板本体１２１、天板本体１２１の底面に連結し、角に近い箇所にある複数の天板挿入部１２２（図7参照）、天板本体１２１の底面中央箇所に固着された天板軸受座（未図示）、及び天板軸受座内の天板軸受１２４を有する。
外柱１３は、台座１１と天板１２との間に取り外しのできる形式で結合される。各外柱１３は、第一外柱管１３１、第二外柱管１３２、外柱内結合体１３３、外柱外嵌合部１３４、及び二つの外柱螺着部品１３５を有する。第一外柱管１３１の底端は、台座１１の台座挿入部１１２に挿入し、第一外柱管１３１の外側には軸方向に延伸する第一外柱溝１３６を形成する。第二外柱管１３２の上端は天板１２の天板挿入部１２２に挿入し、第二外柱管１３２の外側には軸方向に延伸する第二外柱溝１３７を形成する。外柱内結合体１３３の底端を第一外柱管１３１の上端に挿入し、外柱内結合体１３３の上端を第二外柱管１３２の底端に挿入する。外柱外嵌合部１３４の一側面に二つの外柱螺着孔１３８を形成し、外柱外嵌合部１３４の底端には第一外柱管１３１の上端を插入させ、外柱外嵌合部１３４の上端には第二外柱管１３２の底端を插入させる。二つの外柱螺着部品１３５は外柱外嵌合部１３４の各外柱螺着孔１３８にそれぞれ螺着する。二つの外柱螺着部品１３５が第一外柱管１３１の第一外柱溝１３６と第二外柱管１３２の第二外柱溝１３７をそれぞれ深く圧して螺着されることで、第一外柱管１３１と第二外柱管１３２を緊密に結合することができる。
【００１４】
図１〜図７に示すとおり、内側部２０は、外側部１０の台座１１と天板１２との間に軸着し、外の力を使ってその場で回転させるものである。内側部２０には、基盤２１、天盤２２、及び二つの内柱２３を備える。基盤２１は、基盤本体２１１、基盤本体２１１の上面に連結し、側面端箇所に対称的に設けられた二つの基盤挿入部２１２、及び基盤本体２１１の底面の中央箇所に固着された基盤軸着部（未図示）を有する。基盤軸着部は、外側部１０の台座軸受１１４に連結されて支えられ、台座軸受１１４を円心としてその場で回転させることができる。天盤２２には、天盤本体２２１、天盤本体２２１の底面に連結し、側面端箇所に対称的に設けられた二つの天盤挿入部２２２、及び天盤本体２２１の上面の中央箇所に固着された天盤軸着部２２３を有する。天盤軸着部２２３は、外側部１０の天板軸受１２４に連結されて支えられ、天板軸受１２４を円心としてその場で回転させることができる。内柱２３は、基盤２１と天盤２２との間に、取り外しのできる形式で結合される。各内柱２３は、第一内柱管２３１、第二内柱管２３２、及び内柱結合体２３３を有する。第一内柱管２３１の底端は、基盤２１の基盤挿入部２１２に挿入し、第一内柱管２３１の両側面それぞれに軸方向に延伸する第一内柱溝２３４を形成し、第二内柱管２３２の上端を天盤２２の天盤挿入部２２２内に挿入する。第二内柱管２３２の両側面それぞれに軸方向に延伸する第二内柱溝２３５を形成する。内柱結合体２３３は、下部分の下端結合部２３６、上部分の上端結合部２３７、及び下端結合部２３６と上端結合部２３７との間に一体連結される中段連接部２３８を有する。中段連接部２３８の外径は、下端結合部２３６と上端結合部２３７の外径を超えるもので、中段連接部２３８の両側面にはそれぞれ、軸方向に延伸する延伸溝２３９を形成する。内柱結合体２３３の下端結合部２３６は、第一内柱管２３１の上端に挿入連結し、内柱結合体２３３の上端結合部２３７は、第二内柱管２３２の底端に挿入連結して、延伸溝２３９と第一内柱溝２３４及び第二内柱溝２３５を連通させる。これにより、外側部１０内に軸着された内側部２０は、外の力を使ってその場で軸回転させることができる。
【００１５】
図１〜図７に示す通り、靴置き部３０は、基盤２１と天盤２２との間において上から下へと内側部２０の二つの内柱２３に連結される。各靴置き部３０の構造は同じであるので、次に、単一の靴置き部３０を用いて説明を行う。
靴置き部３０には、第一靴置き部３１及び第二靴置き部３２を備える。第一靴置き部３１は、第一盤体３１１、第一盤体３１１の両側面の対称位置に形成する二つの第一貫通管３１２、及び各第一貫通管３１２の側面に螺着する第一螺合部品３１３を有する。第一螺合部品３１３は、第一盤体３１１の外側端部より外に突出しない位置に形成する。第二靴置き部３２は、第二盤体３２１、第二盤体３２１の両側辺に対称的に形成される二つの第二貫通管３２２、及び各第二貫通管３２２の側面にそれぞれ螺着される第二螺合部品３２３を有し、第二螺合部品３２３は、第二盤体３１１の外側端部より外に突出しない位置に螺着する。第一靴置き部３１の二つの第一貫通管３１２及び第二靴置き部３２の二つの第二貫通管３２２には、二つの内柱２３を貫通させ、第一螺合部品３１３と第二螺合部品３２３を螺着してしっかりと密着させる。第一螺合部品３１３と第二螺合部品３２３を内柱２３の第一内柱溝２３４、第二内柱溝２３５、もしくは延伸溝２３９のいずれか一つに入れて締め付けることで、第一靴置き部３１と第二靴置き部３２を内柱２３上に結合することができる。第一靴置き部３１と第二靴置き部３２は、それぞれが逆方向に傾斜しているため、第一靴置き部３１と第二靴置き部３２との間には、小開口３３と、小開口３３の逆側に位置する大開口３４とが形成される。
【００１６】
図１〜図８に示すとおり、支持装置４０は、内側部２０の天盤２２の底面に軸着し、外力によって単一方向に動かすことができ（靴を取りはずしたり取り出したりする時に使用者と同方向に動く）、上下に伸縮することができる。
【００１７】
図１〜図８に示すとおり、引掛装置５０は、内側部２０の天盤２２の底面に設置し、しっかり挟み込んだり取りはずしたりするための収容空間５１を有する。
【００１８】
上述には、本考案の回転式シューズラック１００に関する一実施形態の各構成要素及び組立方式についての説明をした。続いて次に、使用における特長を説明する。
【００１９】
それぞれの靴置き部３０にも、二つの靴置き部３０間にも少なくとも一足の靴９０を入れることができる。図７に示すとおり、靴９０をシューズラックに入れるときは、大開口３４から入れて、第一靴置き部３１もしくは第二靴置き部３２に置く。並びに靴９０のかかと９０１を大開口３４に向け、つま先９０２を小開口３３に向ける。このようにして、靴９０を靴置き部３０から安定して置けるだけでなく、靴置き部３０には逆に傾斜する第一靴置き部３１と第二靴置き部３２との間に形成された小開口３３と大開口３４があるため、靴９０を置いたり取り出したりする使用上の利便性がはかられている。しかも、靴置き部３０の第一靴置き部３１と第二靴置き部３２との間の距離を靴９０の高さに応じて適度に調整でき、空間を自由に利用する効果を有する。
【００２０】
次に、使用者がブーツ９１を置こうとする場合は（図７参照）、ブーツ９１の靴部分９１１を最上方の靴置き部３０に置き、支持装置４０をブーツ９１の筒部分９１２内に挿入し、支持装置４０で筒部分９１２を支持する。これにより、筒部分９１２のスタンド状態が保たれ、筒部分９１２が斜めになったり、折れ曲がってシワになったりするのを防ぐため、ブーツ９１の使用寿命をのばし、美観を高める効果を発揮する。
【００２１】
また、図７及び図８に示すとおり、ブーツ９１の靴部分９１１を引掛装置５０の収容空間５１内に置き、適当に挟み込んでぶら下げると、筒部分９１２が下垂した状態となる。これにより、筒部分９１２が折れ曲がってシワとなるのを防ぐ効果を発揮する。
【００２２】
本考案における外側部１０の外柱１３は、第一外柱管１３１と第二外柱管１３２とを組み合わせて構成されており、内側部２０の内柱２３は、第一内柱管２３１と第二内柱管２３２とを組み合わせて構成される。本考案を運搬もしくは収納する際は、外柱螺着部品１３５をゆるめて第一外柱管１３１と第二外柱管１３２とを分解し、各靴置き部３０上の第二螺合部品３２３をゆるめて靴置き部３０を内柱２３から分離させ、並びに内柱２３の第一内柱管２３１と第二内柱管２３２とを分離させる。こうして本考案全体を分解した後、包装体積と長さは縮小されて、本考案の包装長さはＬ／２となる（図９参照）。従来のシューズラックは分解後の包装体積が大きく、長さもあった。従来のシューズラックの包装の長さはＬ（図１０参照）であるのに対し、体積と長さを縮小した本考案の包装は、運搬に利便をはかるだけでなく、収納空間を節約する効果を有するものである。
【００２３】
また、本考案における第一螺合部品３１３は、第一盤体３１１の外側端部を突出しない位置にあり、第二螺合部品３２３は、第二盤体３２１の外側端部を突出しない位置にある。それゆえに、内側部２０を回転させる場合、第一螺合部品３１３及び第二螺合部品３２３と外側部１０の外柱１３がぶつかり干渉し合うことがないため、外側部１０の外柱１３をできる限り内側に収縮させ、組み立て後の全体幅を縮小することができる。
【００２４】
前述した本考案の実施形態は実施範囲を限定するものではなく、よって、本技術領域内の関連技術であり、本考案に基づく変化であるならば、それはすべて本考案により保護される範囲に属するものとする。
【符号の説明】
【００２５】
１００  回転式シューズラック
１０  外側部
１１  台座
１１１  台座本体
１１２  台座挿入部
１１３  台座軸受座
１１４  台座軸受
１２  天板
１２１  天板本体
１２２  天板挿入部
１２４  天板軸受
１３  外柱
１３１  第一外柱管
１３２  第二外柱管
１３３  外柱内結合体
１３４  外柱外嵌合部
１３５  外柱螺着部品
１３６  第一外柱溝
１３７  第二外柱溝
１３８  外柱螺着孔
２０  内側部
２１  基盤
２１１  基盤本体
２１２  基盤挿入部
２２  天盤
２２１  天盤本体
２２２  天盤挿入部
２２３  天盤軸着部
２３  内柱
２３１  第一内柱管
２３２  第二内柱管
２３３  内柱結合体
２３４  第一内柱溝
２３５  第二内柱溝
２３６  下端結合部
２３７  上端結合部
２３８  中段連接部
２３９  延伸溝
３０  靴置き部
３１  第一靴置き部
３１１  第一盤体
３１２  第一貫通管
３１３  第一螺合部品
３２  第二靴置き部
３２１  第二盤体
３２２  第二貫通管
３２３  第二螺合部品
３３  小開口
３４  大開口
４０  支持装置
５０  引掛装置
５１  収容空間
９０  靴
９０１  かかと
９０２  つま先
９１  ブーツ
９１１  靴部分
９１２  筒部分
Ｌ／２  本考案の包装長さ
Ｌ  従来の包装長さ
【図１】
0003226027.tif 000003
【図２】
0003226027.tif 000004
【図３】
0003226027.tif 000005
【図４】
0003226027.tif 000006
【図５】
0003226027.tif 000007
【図６】
0003226027.tif 000008
【図７】
0003226027.tif 000009
【図８】
0003226027.tif 000010
【図９】
0003226027.tif 000011
【図１０】
0003226027.tif 000012